(57)【特許請求の範囲】
【請求項１】
床面と背面と側面と天井を有し、正面側に開口部を有し、かつ該開口部に開閉可能な開閉扉を有した箱状のかご室本体と、
前記かご室本体の天井および前記正面側側面に配設され、前記開閉扉を開閉動作させるための扉開閉機構と、
前記かご室本体の床面下部に固着した床受枠および該かご室本体の天井に固着した腕と、
前記かご室本体の左右の側面側にそれぞれ上下方向に配置され、前記腕と前記床受枠に固着された左右の縦枠と、
前記左右の縦枠の上端部および下端部に水平に固着された上部梁および下部梁と、
前記各縦枠の下端部と前記下部梁の少なくとも一方に固着され、非常時かご室本体の落下を停止させる非常止装置と、
前記上部梁の両端部側に取り付けられ、昇降路に有するガイドレールに沿って転動する上部ローラガイドと、
前記各非常止装置に取り付けられ、前記昇降路に有するガイドレールに沿って転動する下部ローラガイドと、
前記かご室本体の天井上部に配置され、前記上部ローラガイドを除き、前記扉開閉機構の天井に位置する部分ならびに前記上部梁を包囲すると共に、前記かご室本体の開口部側と隣接する壁面のみが垂直方向に平坦であって、該平坦な壁面を除く背面側、側面側の壁面の上部側が流線形をなしたかご上整風カプセルと、
前記かご室本体の床面下部に配置され、前記下部ローラガイドを除き、前記下部梁および前記非常止装置を包囲すると共に、前記かご室本体の開口部側の壁面に隣接する壁面のみが垂直方向に平坦であって、該平坦な壁面を除く背面側、側面側の壁面の下部側が流線形をなしたかご下整風カプセルと、
一方側に垂直面を有し、かつ他方側に傾斜面を有したものであって、前記かご下整風カプセルの表面であって該かご下整風カプセルの平坦な壁面に、該垂直面が前記正面側に位置し、かつ該傾斜面が背面側になるように取り付けた下部整風部材と、
を具備したエレベーターかご装置。
【請求項２】
一方側に垂直面を有し、かつ他方側に傾斜面を有したものであって、前記かご上整風カプセルの表面であって該かご上整風カプセルの平坦な壁面に、該垂直面が前記正面側に位置し、かつ該傾斜面が背面側になるように取り付けた上部整風部材とを具備した請求項１記載のエレベーターかご装置。
【請求項３】
前記上部整風部材または前記下部整風部材の幅寸法は、前記開閉扉が開状態のときの開口部の幅寸法とほぼ等しくしたことを特徴する請求項１または請求項２記載のエレベーターかご装置。
【請求項４】
前記かご室本体の床面側であって、前記開閉扉の開閉動作をスムーズにするためのかごシルの下部のエプロン部分に、三角形状であって下端部が先鋭部となるように取り付けられた整風板を具備したことを特徴とする請求項１〜３のいずれかに記載のエレベーターかご装置。
【請求項５】
前記かご室本体は、該側壁は二重化構造とし、かつ前記開口部および前記縦枠を除くかご室本体の側面および背面ならびに前記扉開閉機構のうち前記開口部側に位置する部分の全てを包囲する整風カバーを前記縦枠に取り付け、かご室本体部分の壁面を三重化構造としたことを特徴とする請求項１〜４のいずれかに記載のエレベーターかご装置。
【請求項６】
前記かご室本体は、該側壁は二重化構造とし、かつ前記開口部および前記縦枠を除くかご室本体の側面および背面ならびに前記扉開閉機構のうち前記開口部側に位置する部分の全てを包囲する整風カバーを前記縦枠に取り付け、前記整風カバーと前記かご室本体との隙間に吸音材を充填させたことを特徴とする請求項１〜４のいずれかに記載のエレベーターかご装置。
【請求項７】
前記かご上整風カプセルにメインロープを貫通させ、該貫通部分に、該メインロープの配置と同様の可撓性を有する材料を設けたことを特徴とする請求項１〜６のいずれかに記載のエレベーターかご装置。
【請求項８】
前記かご上整風カプセルにセフティリンクを貫通させ、該貫通部分に該セフティリンクの動作時の動きに対応したスリットの入っている可撓性を有する材料を設けたことを特徴とする請求項１〜６のいずれかに記載のエレベーターかご装置。
【請求項９】
前記かご下整風カプセルにテールコードを貫通させ、該貫通部分に、可撓性を有する材料を設けたことを特徴とする請求項１〜６のいずれかに記載のエレベーターかご装置。
【請求項１０】
前記上部整風部材と前記下部整風部材とは、大きさが異なることを特徴とする請求項２に記載のエレベーターかご装置。
【発明の詳細な説明】
【０００１】
【発明の属する技術分野】
本発明は、例えば超高速用に最適なエレベーターかご装置に関する。
【０００２】
【従来の技術】
図７は、従来の高速用に最適なエレベーターかご装置の概略を示す側面図である。
縦枠１は、正面側に開口部（図示せず）を有する箱状のかご室本体２の対向する左右側面にそれぞれ固着されている。かご室本体２の開口部には、開閉扉３が開閉可能に配設され、かご室本体２の天井上部には開閉扉３を開閉動作させるための扉開閉機構（図示せず）が取り付けられている。
【０００３】
かご室本体２の天井上部には、腕２２が正面から背面に向けて固着され、またかご室本体２の床面下部には正面から背面に向けて床受枠２３が固着されている。
【０００４】
そして各縦枠１の上端部には、上部梁１１が水平に固着され、各縦枠１の下端側であって、床受枠２３の下側には第１の下部梁２６ａが水平に固着され、また各縦枠１の下端部には第２の下部梁２６ｂが水平に固着され、下部梁２６ｂと縦枠１の少なくとも一方に非常時かご室本体２の落下を防止するための非常停止装置３０が固着されている。
【０００５】
かご室本体２の天井上部には、縦枠１および上部梁１１を除き、かつ前記扉開閉機構を包囲するようにかご上整風カプセル４が固定されている。またかご室本体２の床面底部には、第２の下部梁２６ａを包囲するようにかご下整風カプセル５が縦枠１に取り付けている。
【０００６】
かご上整風カプセル４は、開閉扉３の有する正面側と隣接する壁面が垂直方向に平坦であって、かつ該平坦な壁面を除く背面側、側面側の壁面の上部側が流線形をなした形状となっている。
【０００７】
かご下整風カプセル５は、かご室本体の開口部側の壁面に隣接する壁面のみが垂直方向に平坦であって、該平坦な壁面を除く背面側、側面側の壁面の下部側が流線形をなした形状となっている。そして、かご室本体２の天井部分と縦枠１の隙間は塞ぎ板２１で塞がれている。なお、かご下整風カプセル５には、テールコード取付け部材が水平に取付けられている。
【０００８】
【発明が解決しようとする課題】
以上述べた従来のエレベータかご装置は、かご室本体２の天井上部には、扉開閉機構を包囲するようにかご上整風カプセル４が設けられ、またかご室本体２の床面には、第１の下部梁２６ａを包囲するようにかご下整風カプセル５が設けられているので、かご室本体２の周りの気流の乱れを抑制できる。この結果、かご室内の騒音をある程度小さくすることができる。
【０００９】
ところが、従来のかご装置では、かご上整風カプセル４より図７のように上部梁１１や、該上部梁１１に取付けられる図示しないセフティリンク（非常止装置３０を動作させるためのリンク）が飛び出ており、またかご下整風カプセル５からテールコード取付け部材３１と、第２の下部梁２６ｂと、非常止装置３０が飛び出ていた。
【００１０】
さらに、整風カプセル４，５とかご室本体２には、図７の紙面方向に図示しない段差があり、このため整風カプセル４、５の性能を十分発揮しきれず、かご室が走行する際に風切り音が発生し、この風切り音はかご室内においては騒音となり、この騒音は特に超高速用エレベータにあっては、大きくなるという問題点がある。
【００１１】
また、縦枠１とかご室本体２の隙間を塞ぐのに塞ぎ板２１を取付ていたが、縦枠１とかご室本体２には変位があるため構造が複雑になり、かつ密閉効果も不十分であった。
本発明の目的は、風切り音が小さく快適な乗り心地のエレベーターかご装置を撮供することである。
【００１２】
【課題を解決するための手段】
前記目的を達成するため、請求項１に対応する発明は、床面と背面と側面と天井を有し、正面側に開口部を有し、かつ該開口部に開閉可能な開閉扉を有した箱状のかご室本体と、
前記かご室本体の天井および前記正面側側面に配設され、前記開閉扉を開閉動作させるための扉開閉機構と、
前記かご室本体の床面下部に固着した床受枠および該かご室本体の天井に固着した腕と、
前記かご室本体の左右の側面側にそれぞれ上下方向に配置され、前記腕と前記床受枠に固着された左右の縦枠と、
前記左右の縦枠の上端部および下端部に水平に固着された上部梁および下部梁と、
前記各縦枠の下端部と前記下部梁の少なくとも一方に固着され、非常時かご室本体の落下を停止させる非常止装置と、
前記上部梁の両端部側に取り付けられ、昇降路に有するガイドレールに沿って転動する上部ローラガイドと、
前記各非常止装置に取り付けられ、前記昇降路に有するガイドレールに沿って転動する下部ローラガイドと、
前記かご室本体の天井上部に配置され、前記上部ローラガイドを除き、前記扉開閉機構の天井に位置する部分ならびに前記上部梁を包囲すると共に、前記かご室本体の開口部側と隣接する壁面のみが垂直方向に平坦であって、該平坦な壁面を除く背面側、側面側の壁面の上部側が流線形をなしたかご上整風カプセルと、
前記かご室本体の床面下部に配置され、前記下部ローラガイドを除き、前記下部梁および前記非常止装置を包囲すると共に、前記かご室本体の開口部側の壁面に隣接する壁面のみが垂直方向に平坦であって、該平坦な壁面を除く背面側、側面側の壁面の下部側が流線形をなしたかご下整風カプセルと、
一方側に垂直面を有し、かつ他方側に傾斜面を有したものであって、前記かご下整風カプセルの表面であって該かご下整風カプセルの平坦な壁面に、該垂直面が前記正面側に位置し、かつ該傾斜面が背面側になるように取り付けた下部整風部材と、
を具備したエレベーターかご装置である。
【００１３】
前記目的を達成するため、請求項２に対応する発明は、一方側に垂直面を有し、かつ他方側に傾斜面を有したものであって、前記かご上整風カプセルの表面であって該かご上整風カプセルの平坦な壁面に、該垂直面が前記正面側に位置し、かつ該傾斜面が背面側になるように取り付けた上部整風部材とを具備した請求項１記載のエレベーターかご装置である。
【００１４】
前記目的を達成するため、請求項３に対応する発明は、前記上部整風部材または前記下部整風部材の幅寸法は、前記開閉扉が開状態のときの開口部の幅寸法とほぼ等しくしたことを特徴する請求項１または請求項２記載のエレベーターかご装置である。
【００１５】
請求項１〜３のいずれかに対応する発明によれば、かご上整風カプセル、かご下整風カプセル、上部整風部材、下部整風部材によりかご室本体の両側面、背面が平滑になり、かご室本体の周りの気流が整流され、全長を長くし流線度をあげたことで気流を側面、背面に流し、かご室本体の正面部への気流の流入が抑制される。
【００１６】
前記目的を達成するため、請求項４に対応する発明は、前記かご室本体の床面側であって、前記開閉扉の開閉動作をスムーズにするためのかごシルの下部のエプロン部分に、三角形状であって下端部が先鋭部となるように取り付けられた整風板を具備したことを特徴とする請求項１〜３のいずれかに記載のエレベーターかご装置である。
【００１７】
請求項４に対応する発明によれば、開閉扉のシル下部に、三角形状の整風板の該先鋭部が下方に位置するように取り付けたので、かご正面側に流れ込む空気をかご背面に流し、かご正面部の気流を整流化し、バフ音の発生を抑制できる。
【００１８】
前記目的を達成するため、請求項５に対応する発明は、前記かご室本体は、該側壁は二重化構造とし、かつ前記開口部および前記縦枠を除くかご室本体の側面および背面ならびに前記扉開閉機構のうち前記開口部側に位置する部分の全てを包囲する整風カバーを前記縦枠に取り付け、かご室本体部分の壁面を三重化構造としたことを特徴とする請求項１〜４のいずれかに記載のエレベーターかご装置である。
【００１９】
前記目的を達成するため、請求項６に対応する発明は、前記かご室本体は、該側壁は二重化構造とし、かつ前記開口部および前記縦枠を除くかご室本体の側面および背面ならびに前記扉開閉機構のうち前記開口部側に位置する部分の全てを包囲する整風カバーを前記縦枠に取り付け、前記整風カバーと前記かご室本体との隙間に吸音材を充填させたことを特徴とする請求項１〜４のいずれかに記載のエレベーターかご装置である。
【００２０】
請求項５または請求項６に対応する発明によれば、かご室本体の側壁を三重構造したので、透過損失が大きくなり、超高速走行時のかご内の騒音を低減できる。
【００２１】
前記目的を達成するため、請求項７に対応する発明は、前記かご上整風カプセルにメインロープを貫通させ、該貫通部分に、該メインロープの配置と同様の可撓性を有する材料を設けたことを特徴とする請求項１〜６のいずれかに記載のエレベーターかご装置である。
【００２２】
前記目的を達成するため、請求項８に対応する発明は、前記かご上整風カプセルにセフティリンクを貫通させ、該貫通部分に該セフティリンクの動作時の動きに対応したスリットの入っている可撓性を有する材料を設けたことを特徴とする請求項１〜６のいずれかに記載のエレベーターかご装置である。
【００２３】
前記目的を達成するため、請求項９に対応する発明は、前記かご下整風カプセルにテールコードを貫通させ、該貫通部分に、可撓性を有する材料を設けたことを特徴とする請求項１〜６のいずれかに記載のエレベーターかご装置である。
前記目的を達成するため、請求項１０に対応する発明は、前記上部整風部材と前記下部整風部材とは、大きさが異なることを特徴とする請求項２に記載のエレベーターかご装置である。
請求項７〜１０のいずれかに対応する発明によれば、請求項１〜６のいずれかに記載の発明と同様な作用効果が得られる。
【００２４】
【発明の実施の形態】
以下、本発明の実施形態について図面を参照して説明する。図１は、本発明のエレベーターかご装置の概略構成を示す斜視図であり、図２は図１のかご装置の概略構成を示す側面図であり、図３（ａ）は図１のかご装置の上面図であり、図３（ｂ）は図１のかご装置の正面図であり、図３（ｃ）は図３（ｂ）のＡ矢視図であり、図４（ａ）は図１のかご装置の下面図であり、図４（ｂ）は図４（ａ）のテールコードヒッチ部の拡大図であり、これは以下のような構成を備えている。
【００２５】
すなわち、床面と背面と側面と天井を有し、正面側に開口部を有し、かつ該開口部に開閉可能な開閉扉３を有した箱状のかご室本体２と、かご室本体２の天井および側面に配設され、開閉扉３を開閉動作させるための扉開閉機構（図示せず）と、かご室本体２の床面下部に固着した床受枠２３および該かご室本体２の天井に固着した腕２２と、かご室本体２の左右の側面側にそれぞれ上下方向に配置され、腕２２と床受枠２３に固着された左右の縦枠１と、左右の縦枠１の上端部に水平にそれぞれ固着された上部梁１１と、左右の縦枠１の下端部に水平にそれぞれ固着された第２の下部梁２６ｂと、下部梁２６ｂと縦枠１の少なくとも一方に固着され、非常時かご室本体の落下を停止させる非常止装置３０とを備えている。
【００２６】
上部梁１１および非常止装置３０には、昇降路に沿って上下方向に配設されているガイドレールに沿って転動する上部および下部ローラガイド１７をそれぞれ備えている。
【００２７】
前記上部ローラガイド１７と縦枠１を除き、前記扉開閉機構の天井に位置する部分ならびに上部梁１１を包囲すると共に、かご室本体２の開口部側と隣接する壁面のみが垂直方向に平坦であって、該平坦な壁面を除く背面側、側面側の壁面の上部側が流線形をなしたかご上整風カプセル６を備えている。
【００２８】
さらに、下部ローラガイド１７および縦枠１を除き、第２の下部梁２６および前記非常止装置３０を包囲すると共に、かご室本体２の開口部側の壁面に隣接する壁面のみが垂直方向に平坦であって、該平坦な壁面を除く背面側、側面側の壁面の下部側が流線形をなしたかご下整風カプセル７を備えている。
【００２９】
一方側に垂直面を有し、かつ他方側に傾斜面を有したものであって、かご下整風カプセル７の表面であって該かご下整風カプセル７の平坦な壁面に、該垂直面が前記正面側に位置し、かつ該傾斜面が背面側になるように取り付けた下部整風部材８を備えている。
【００３０】
また、一方側に垂直面を有し、かつ他方側に傾斜面を有したものであって、かご下整風カプセル７の表面であって該かご下整風カプセル７の平坦な壁面に、該垂直面が前記正面側に位置し、かつ該傾斜面が背面側になるように取り付けた下部整風部材８を備えている。
【００３１】
さらに、一方側に垂直面を有し、かつ他方側に傾斜面を有したものであって、前記かご上整風カプセル６の表面であって該かご上整風カプセルの平坦な壁面に、該垂直面が前記正面側に位置し、かつ該傾斜面が背面側になるように取り付けた上部整風部材８を備えている。
【００３２】
また、かご室本体２の床面側であって、開閉扉３の開閉動作をスムーズにするためのかごシル２８の下部のエプロン部分に、三角形状であって下端部が先鋭部となるように取り付けられた整風板１０を備えている。
【００３３】
上部整風部材８または下部整風部材８の幅寸法は、開閉扉３が開状態のときの開口部の幅寸法Ｗとほぼ等しくしてある。
かご上整風カプセル６は上梁１１やセフティリンク１６のほとんどの部分を覆うために、従来のかご上整風カプセル４よりも大型になっている。また、メインロープの取り出し部１８は、図３に示すような構造で、可撓性材料として例えばゴムを使用し、隙間ができないようにしている。
【００３４】
さらに、セフティリンク１６の取り出し部２０も同様に、可撓性材料として例えばゴム製とし、セフティリンク１６の動作時を考慮してロッド２７が動くようにスリッ卜２０ａを入れている。
【００３５】
かご下整風カプセル７でも同様にコンペンロープ取り出し部１４を、可撓性材料例えばゴム製とし、テールコードヒッチ部１３もゴム製でテールコードの吊り位置調整に対応して移動可能な構造としている。
【００３６】
このように、整風カプセル６，７によりかご室本体２の両側面、背面が平滑になり、かご室本体２の周りの気流が整流され、全長を長くし流線度をあげたことで気流を側面、背面に流し、かご正面部への気流の流入が抑制される。
【００３７】
また、三角形状の整風板１０によりかご室本体２の正面側に流れ込む空気をかご室本体２の背面に流し、整風板１０でかご室本体２の正面部の気流を整流化し、バフ音の発生を抑制できる。
【００３８】
図５はかご室本体２の概略構成を示す斜視図であり、かご室本体２の正面側の開閉扉３が開閉するための開口部を除く外壁面の周りの整風カバ−９が取り付けられ、かご室本体２と整風カバ−９の隙間には吸音材１５が充填されている。
【００３９】
この結果、整風カプセル６，７、整風カバ−９により気流が側面、背面に流れ、かご回りの気流が整流されることで、高速走行時の風音の発生原因であるかごエプロン部（正面部）の増速流の発生を抑制することができる。
【００４０】
さらに、整風カバ−９とかご室本体２の隙間には吸音材１５が゛充填されているので、かご室本体２内への騒音の伝達はさらに低減される。
また、かご上整風カプセル６およびかご下整風カプセル７に、それぞれ断面ほぼＶ字状の整風部材８を取り付けたので、該整風部材８によりかご正面部へ流れ込む空気を背面側に流し、さらに整風板１０により正面部に流れ込んだ空気を両脇に流し、かご正面部を整流化することによりバフ音を低減できる。以上述べたことから、超高速エレベーターに十分対応した整風・遮音効果が得られる。
【００４１】
＜変形例＞
本発明は、以上述べた実施形態に限定されるものではなく、例えば次のように構成した実施形態も含まれる。前述のかご上下の整風カプセル６，７に取り付けられる整風部材８は、図６（ａ）に示す様に断面ほぼＶ字状のもの（背面側が曲線に形成されたもの）や、図６（ｂ）に示す様に断面Ｖ字状の整風部材（背面側が直線に形成されたもの）８１のいずれかを使用しても良く、しかも両者の交換が可能な構成とすることにより、実用的となる。
【００４２】
前述の実施形態では、かご上整風カプセルに上部整風部材、かご下整風カプセルに下部整風部材を取り付け、また開閉扉のかご室本体下のシルに三角形状の整風板を配設したが、用途によっては下部整風部材、三角形状の整風板の少なくとも一方が無い場合であっても良い。
【００４３】
また、前述の実施形態では、かご室本体の壁面構造として、かご室本体と整風カバーにより三重化構造とし、かつ整風カバーとかご室本体の隙間に吸音材を充填させたが、用途によっては吸音材を充填させないもの、あるいは三重化構造としない二重化構造のものであっても良い。
【００４４】
【発明の効果】
以上述べた本発明によれば、かご正面部の増速流の発生を抑え、密閉度を向上させることで遮音性を上げ、整風部材に対応した性能が得られるエレベーターかご装置を提供することができる。
【図面の簡単な説明】
【図１】本発明のエレベーターかご装置の第１の実施形態を示す概略斜視図。
【図２】図１のかご装置の側面図。
【図３】図１のかご装置の上面を説明するための図。
【図４】図１のかご装置の下面を説明するための図。
【図５】図１のかご室本体の変形例を説明するための斜視図。
【図６】図１の上部整風部材および該上部整風部材の変形例を説明するための斜視図。
【図７】従来のエレベーターかご装置の一例を示す側面図。
【符号の説明】
１…縦枠、２…かご室本体、３…出入ロドア、４…かご上整風カプセル、５…かご下整風カプセル、６…かご上整風カプセル、７…かご下整風カプセル、８…上部整風部材、９…整風カバ−、１０…シル下整風板、１１…上部梁、１２…メインロープヒッチ部、１３…テールコードヒッチ部、１４…コンペンロープ取り出し部、１５…吸音材、１６…セフティリンク、１７…ローラガイド、ｌ８…ロープ取り出し部、１９…メインロープ、２０…セフティリンク取り出し部、２１…塞ぎ板、２６ａ，２６ｂ…下部梁、３０…非常止装置。
【図１】
0004023871.tif 000002
【図２】
0004023871.tif 000003
【図３】
0004023871.tif 000004
【図４】
0004023871.tif 000005
【図５】
0004023871.tif 000006
【図６】
0004023871.tif 000007
【図７】
0004023871.tif 000008